(57)【要約】【課題】従来技術の問題点である水銀を含む水銀スイッチを使用しないで、環境問題点を解決し、安全でありかつ、小型で安価な転倒検知機能を備えた携帯無線機を提供することにある。【解決手段】発光素子と、受光素子と、光路で作動する球状体と、該球状体の案内路を形成する支持部材とを備え、支持部材は携帯無線機の正常直立状態では球状体を案内路の正常静止位置に保持して光路を遮断し、正常直立状態以外の不正常姿勢では光路の遮断は解除されるような、少なくとも２個のフォトインタラプタの作動方向が携帯無線機の正常直立状態では水平な正常状態となる平面状に直角に配設されることにより、左倒れ、右倒れ及び逆さ倒れに加え前・後倒れが検知され、フォトインタラプタから発生するそれぞれの傾斜信号を合成して転倒検知信号とし、更に所定の処理が行われた後、転倒情報として無線部に入力し、無線部から転倒発報信号を出力するように構成されている。【選択図】      図１
2005148785.tif 000002
【特許請求の範囲】
【請求項１】
傾斜したとき転倒検知部から出力される転倒検知信号によって無線部から転倒発報信号を送出する機能を有する携帯無線機において、
該携帯無線機の筐体内部に、フォトインタラプタを有し、該フォトインタラプタは、前記転倒検知部として、
発光素子と、
該発光素子からの発光を受光する受光素子と、
該発光素子から該受光素子までの前記発光の光路で作動する球状体と、
該球状体を支持案内する案内路を形成する支持部材とを備え、
該支持部材は前記携帯無線機の正常直立状態では前記球状体を前記案内路の正常静止位置に保持して、前記発光素子から前記受光素子への前記光路を遮断し、
前記携帯無線機の正常直立状態以外の不正常姿勢では前記光路の遮断は解除されるような、少なくとも２個の前記フォトインタラプタの作動方向が前記携帯無線機の前記正常直立状態では水平な正常状態となる平面状に直角に配設されることにより、該左倒れ、右倒れ及び逆さ倒れに加え前・後倒れが検知され、
該検知されたときに前記フォトインタラプタから発生するそれぞれの傾斜信号を合成して前記転倒検知信号とし、更に所定の処理が行われた後、転倒情報として前記無線部に入力し、該無線部から前記転倒発報信号を出力するように構成されたことを特徴とする携帯無線機。
【発明の詳細な説明】
【技術分野】
【０００１】
本発明は、構内無線通信システム等に使用される携帯無線機等における安全対策機能の１つとて用いられる転倒検知機能を有する携帯無線機に関するものである。
【背景技術】
【０００２】
転倒検知機能は、携帯無線機を構内無線通信システムに組み込まれて設備化された工場等の作業者が携帯無線機の本体を腰などに装着し、作業中に作業者が倒れるような異常状態の場合等を想定して、その転倒した時に携帯無線機にて予め登録されている連絡先へ通報するようなシステムに適用される。
従来技術に用いられている転倒検知手段としては、検知素子を水銀スイッチとした検知機構が主に使用されてきた（例えば、特許文献１参照。）。
【特許文献１】特開平７−１１１４７３号公報
【０００３】
図４に、従来技術で使用される水銀スイッチの構造、図５にそれを使用した転倒検知回路の例を示す。
この水銀スイッチの構造は、電極となる導体４１を水銀４４の入った導体４２よりなる密閉容器４５内に挿入され、導体４１と導体４２は絶縁体４３にて絶縁された状態にて、導体４１が水銀４４に浸した構造になっているのが一般的である。図４（ａ）に示すように通常の直立状態では、導体４１と導体４２とは導通状態になっているが、図４（ｂ）に示すように容器４５自体が傾くと導体４１と水銀４４が離れ、導体４１と導体４２とが非導通状態となる。
【０００４】
図５に示す転倒検知回路例では、電源電圧Ｖccは抵抗５３と水銀スイッチ５１を介して接地される構成をとり、その水銀スイッチ５１の端子電圧Ｖ0 がマイクロコンピュータ５２に入力されている。水銀スイッチ５１の導通、非導通状態に対応して電圧Ｖ0 が接地電位と電源電圧Ｖccに変化することをマイクロコンピュータ５２にて検知させる構成である。
この構成を携帯無線機に組み込むことにより、携帯無線機を携帯した作業者が倒れた場合には、携帯無線機自体の傾きを検知し、作業者自身の転倒検知が可能となる。
【発明の開示】
【発明が解決しようとする課題】
【０００５】
しかし、水銀については、その毒性が強く、環境への影響が問題となっており、使用禁止への方向に進んでいるのが現状である。
【０００６】
本発明の目的は、従来技術の問題点である水銀を含む水銀スイッチを使用しないで、環境問題点を解決し、安全でありかつ、小型で安価な転倒検知機能を備えた携帯無線機を提供することにある。
【課題を解決するための手段】
【０００７】
この目的を達成するために、本発明による携帯無線機は、傾斜したとき転倒検知部から出力される転倒検知信号によって無線部から転倒発報信号を送出する機能を有する携帯無線機において、
該携帯無線機の筐体内部に、フォトインタラプタを有し、該フォトインタラプタは、前記転倒検知部として、
発光素子と、
該発光素子からの発光を受光する受光素子と、
該発光素子から該受光素子までの前記発光の光路で作動する球状体と、
該球状体を支持案内する案内路を形成する支持部材とを備え、
該支持部材は前記携帯無線機の正常直立状態では前記球状体を前記案内路の正常静止位置に保持して、前記発光素子から前記受光素子への前記光路を遮断し、
前記携帯無線機の正常直立状態以外の不正常姿勢では前記光路の遮断は解除されるような、少なくとも２個の前記フォトインタラプタの作動方向が前記携帯無線機の前記正常直立状態では水平な正常状態となる平面状に直角に配設されることにより、該左倒れ、右倒れ及び逆さ倒れに加え前・後倒れが検知され、
該検知されたときに前記フォトインタラプタから発生するそれぞれの傾斜信号を合成して前記転倒検知信号とし、更に所定の処理が行われた後、転倒情報として前記無線部に入力し、該無線部から前記転倒発報信号を出力するように構成されている。
【発明の効果】
【０００８】
本発明によれば、毒性のある水銀を用いることなしに、確実に転倒状態を検知して、的確に転倒発報信号による転倒通報をすることができる携帯無線機を実現されるので、環境問題点を解決し、安全でありかつ、小型で安価な転倒検知機能を備えられ、その実用的効果は極めて大きい。
【発明を実施するための最良の形態】
【０００９】
本発明を実現させるための転倒検知の素子として、図１に示すようなフォトインタラプタを使用する。ここで、図１（ａ）はフォトインタラプタの内部回路例を示す回路略図であり、１はアノード端子（１）とカソード端子（２）間に所要の直流電圧を印加したときに発光する発光素子である発光ダイオード、２は受光素子として動作するフォトトランジスタ対ＰＴ１，ＰＴ２よりなるフォトトランジスタ回路であり、（３）はフォトトランジスタＰＴ２のエミッタ端子、（４）はフォトトランジスタＰＴ１のエミッタ端子、（５）は共通接続されたコレクタ端子である。コレクタ端子に所要の直流電圧を印加し、エミッタ端子に電流帰路を備えれば、フォトトランジスタが受光／非受光に対応してＯＮ／ＯＦＦされるので、発光ダイオード１からの出力光がフォトトランジスタ対２（ＰＴ１，ＰＴ２）に供給されているときには、これらのフォトトランジスタ対ＰＴ１，ＰＴ２はＯＮになる。
【００１０】
図１（ｂ）は、フォトインタラプタの内部構造例を示す略図であり、ケース３内に、図１（ａ）に示した発光ダイオード１とフォトトランジスタ対２（ＰＴ１，ＰＴ２）との間の発光素子から受光素子までの発光の光路で作動する球状体のボール５が適宜の支持アーム５ａ，５ｂにより支持されている。従って、ケース３が所定の傾斜状態までは、通常の直立状態（正常直立状態）の形成として、ボール５は、発光ダイオード１からの出力光８を遮り、フォトトランジスタ対２（ＰＴ１，ＰＴ２）が共にＯＦＦになり、ケース３が所定の傾斜状態を越えた傾斜状態（左倒れ、右倒れ及び逆さ倒れ）になると、ボール５がアーム（支持部材）５ａ，５ｂ上の作動路方向を転がり、出力光８をフォトトランジスタ対２（ＰＴ１，ＰＴ２）まで通すことにより、フォトトランジスタ対２（ＰＴ１，ＰＴ２）のいずれか又は両方がＯＮになる傾斜信号として検知される構造である。すなわち、正常直立状態以外の不正常姿勢として光路の遮断は解除される。ケース３が所定の傾斜状態まで戻されたときには、通常の直立状態（正常直立状態）の形成として、ボール５は、発光ダイオード１からの出力光８を遮る姿勢に戻される。
【００１１】
図１（ａ）（ｂ）に示すフォトトランジスタ対２（ＰＴ１，ＰＴ２）は、図２（ａ）に示す（Ｉ；逆さ倒れ），（II；左倒れ），（III；直立状態），（IV；右倒れ），（Ｖ；逆さ倒れ）のように姿勢経過を経て変化したときには、図２（ｂ）に示す論理で、フォトトランジスタ対２（ＰＴ１，ＰＴ２）がＯＮ，ＯＦＦになる。なお逆さ倒れの際は、必ず左倒れ又は右倒れの姿勢経過を経るのでボール５が発光ダイオード１からの出力光８を遮ることはなく、フォトトランジスタ対２（ＰＴ１，ＰＴ２）が共にＯＮとなる。
【００１２】
図３は本願発明の装置の要部の概念図として示されている。フォトインタラプタ１個では、通常平面的な方向（例えば左倒れ、右倒れ及び逆さ倒れ）のみの傾きの検知しか出来ないため、２個のケース３−１，３−２のフォトインタラプタの作動方向が携帯無線機の正常直立状態では水平な正常状態となる平面状に直角に配設されることにより、無線機筺体内部に実装された転倒検知部９として構成され、フォトインタラプタ２個それぞれのエミッタ出力をワイヤードオア回路で接続されて転倒検知信号としてマイクロコンピュータ７に入力することにより、立体的な方向（例えば左倒れ、右倒れ、逆さ倒れ及び前・後倒れ）での傾きの検知を実現させた本発明の回路例を図３（ａ）に示す。６−１，６−２は電流帰路となる電流制限用の抵抗器である。
さらにマイクロコンピュータ７では誤動作防止制御などの処理を行って、転倒情報を出力し、これを無線部１０に入力する。無線部１０では、転倒発報信号を出力して例えば警報表示、警報音、警報信号伝送を行う。
以上により、携帯無線機が立体的な方向（例えば左倒れ、右倒れ、逆さ倒れ及び前・後倒れ）での傾きに対して検知可能となり、携帯無線機を装着した作業者が転倒した時に転倒検知及び転倒発報されるような作用を実現する。
２個のフォトインタラプタを水平な正常状態となる平面状に直角に配設されるようにプリント基板上に実装されることによって立体的な方向（例えば左倒れ、右倒れ、逆さ倒れ及び前・後倒れ）での傾きに対応させることを可能とした転倒検知部９の外観の概念図を図３（ｂ）に示す。
【産業上の利用可能性】
【００１３】
各種作業現場における作業員の事故対策に用いて、安全性について多大の実用的効果を有する。
【図面の簡単な説明】
【００１４】
【図１】本発明に用いるフォトインタラプタの内部回路例図（ａ）と内部構造例図（ｂ）である。
【図２】本発明に用いるフォトインタラプタの出力論理図を説明するための姿勢変化図（ａ）と対応する出力論理図（ｂ）である。
【図３】本発明の装置とした回路例図（ａ）とフォトインタラプタの実装位置例図（ｂ）である。
【図４】従来例に用いられている水銀スイッチの構造概念図である。
【図５】従来例に用いられている水銀スイッチを使用した回路例図である。
【符号の説明】
【００１５】
１，１−１，１−２  発光ダイオード
２  フォトトランジスタ対
３，３−１，３−２  ケース
４  リード
５  ボール
５ａ，５ｂ  アーム（支持部材）
６−１，６−２，５３  抵抗器
７，５２  マイクロコンピュータ
８  出力光
９  転倒検知部
４１，４２  導体
４３  絶縁体
４４  水銀
４５  密閉容器
５１  水銀スイッチ
（１）〜（５）  端子
ＰＴ１，ＰＴ２  フォトトランジスタ
【図１】
2005148785.tif 000003
【図２】
2005148785.tif 000004
【図３】
2005148785.tif 000005
【図４】
2005148785.tif 000006
【図５】
2005148785.tif 000007